(57)【要約】【課題】  ナス環本体に弾性線材からなる留め具を設けたナス環において、フック部に装着されているリング部材が外れてしまう不具合を回避することの可能なナス環を得ること。【解決手段】  ナス環本体２に弾性線材からなる留め具２０を設け、このナス環本体２にリング部材１０を着脱可能に装着するナス環１において、ナス環本体２は、リング部材１０挿通用の開口３を設けた一対の脚部４、５と、これに連接されるフック部６とを備え、一対の脚部４、５の先端部４ａ、５ａと留め具２０との間隔Ｔと、リング部材１０の内径のうちの最大内径ｔとの間において、Ｔ＞ｔの関係を備えたナス環１である。【選択図】  図１
2018096476.tif 000002
【特許請求の範囲】
【請求項１】
ナス環本体（２）に弾性線材からなる留め具（２０）を設け、このナス環本体（２）にリング部材（１０）を着脱可能に装着するナス環（１）において、
前記ナス環本体（２）は、前記リング部材（１０）挿通用の開口（３）を設けた一対の脚部（４）、（５）と、前記脚部（４）、（５）の各下部（４ｂ）、（５ｂ）にその両端部が連接されるフック部（６）とを備え、
前記一対の脚部（４）、（５）の先端部（４ａ）、（５ａ）と前記留め具（２０）との間隔（Ｔ）と、前記リング部材（１０）の内径のうちの最大内径（ｔ）との間において、Ｔ＞ｔであることを特徴とするナス環（１）。
【発明の詳細な説明】
【技術分野】
【０００１】
本発明は、留め具を設けたナス環本体に、リング部材などの取付体を着脱可能に装着するナス環に関し、詳しくは取付体に起因する留め具の開放誤動作を阻止するナス環の構造に関する。
【背景技術】
【０００２】
一般にナス環は、留め具を設けたナス環本体に、リング部材などの取付体を着脱可能に装着して構成されるものであり、この取付体は、留め具によってナス環本体からの離脱が阻止される。
【０００３】
留め具には、両端を内側に曲げた略Ｕ字状の弾性線材を用い、この略Ｕ字状の一側と他側の長さを変えて、当該留め具の端部をナス環本体に係着した際に一方向に回動付勢されるものが知られている（特許文献１）。なお、留め具としては、コイルばねに弾性付勢されるスライドピンや開閉ロッドを用いたものも知られている（特許文献２〜４）。
【先行技術文献】
【特許文献】
【０００４】
【特許文献１】特開２０００−２６６０３４号公報
【特許文献２】実開昭５５−７９８７０号公報
【特許文献３】特開２００３−２１９７５０号公報
【特許文献４】実用新案登録第３１３９０７２号公報
【発明の概要】
【発明が解決しようとする課題】
【０００５】
前記特許文献に記載されたナス環のうち、弾性線材を用いた留め具のものは、スライド方式を採用する留め具に比べて、部品点数が少なく構造が簡単で安価に製造できる利点がある一方で、次のような不都合がある。
【０００６】
すなわち、ナス環の円弧状のフック部に装着される取付体は、フック部に装着し易いように、円環状のリング部材を用いることが多い。そして、この種従来のナス環の場合、取付体たるリング部材に何らかの外力が加わって動くと、外側に位置しているリング部材が、留め具にリング部材を装着するときの動作状況と同じように、外側から留め具を押し開けるように働いて、結果、フック部に装着されているリング部材が外れてしまう不具合を生じる。
【０００７】
本発明は、上記事情に鑑みてなされたもので、ナス環本体に弾性線材からなる留め具を設けたナス環において、リング部材に何らかの外力が加わって動いても、フック部に装着されているリング部材が外れてしまう不具合を回避することの可能なナス環を提供するものである。
【課題を解決するための手段】
【０００８】
本発明は、実施例で用いた符号を付して記すと、ナス環本体２に弾性線材からなる留め具２０を設け、このナス環本体２にリング部材１０を着脱可能に装着するナス環１において、
前記ナス環本体２は、前記リング部材１０挿通用の開口３を設けた一対の脚部４、５と、前記脚部４、５の各下部４ｂ、５ｂにその両端部が連接されるフック部６とを備え、
前記一対の脚部４、５の先端部４ａ、５ａと前記留め具２０との間隔Ｔと、前記リング部材１０の内径のうちの最大内径ｔとの間において、Ｔ＞ｔであることを特徴とするナス環１である。
【０００９】
以上のように構成される本発明のナス環は、実施例の図面を参照して説明すると、図１に示す構成を備えたナス環１において、例えば鍵Ｋを保持したリング部材１０を図２に示すように、ナス環本体１０に装着するものである。
【００１０】
すなわち、図３に示すように、鍵Ｋを保持したリング部材１０を、開口３から挿入し、リング部材１０にて、留め具２０をその弾性付勢力に抗して押圧し（図４）、これにより前述したように、リング部材１０をナス環本体１０に装着する（図２）。
【００１１】
本発明のナス環１は、図５に示すように、間隔Ｔと、前記リング部材１０の内径のうちの最大内径ｔとの間において、Ｔ＞ｔであるため、リング部材１０に何らかの外力が加わって動いても、図６のＡ部にて示されるように、リング部材１０は脚部５の先端部５ａを越えることができない。これにより、後述する、Ｔ＞ｔを充足しない構造のもの（図８〜図１０）とは異なり、フック部６からのリング部材１０の離脱を阻止することができる。
【００１２】
他方、図８に示すように、間隔Ｔと、前記リング部材１０の内径のうちの最大内径ｔとの間において、Ｔ＞ｔを充足しない場合、例えば、Ｔ＜ｔである場合は、リング部材１０に何らかの外力が加わって動いたとき、図９に示されるように、リング部材１０は脚部５の先端部５ａを越えてしまう。そのため、脚部５の先端部５ａを越えたリング部材１０は、開口３から挿入して、留め具２０をその弾性付勢力に抗して押圧し（図１０）、これまでフック部６およびこれに連接している脚部５に係止されていたリング部材１０は、ナス環本体２から離脱することとなる。
【発明の効果】
【００１３】
以上のとおり、本発明によれば、リング部材に何らかの外力が加わって動いても、フック部に装着されているリング部材が外れてしまう不具合を回避することの可能なナス環を得ることができる。
【図面の簡単な説明】
【００１４】
【図１】本発明の実施例に係り、ナス環の正面図である。
【図２】本発明の実施例に係り、ナス環にリング部材を装着した状態を示す正面図である。
【図３】本発明の実施例に係り、ナス環にリング部材を装着する過程を示す正面図である。
【図４】本発明の実施例に係り、ナス環にリング部材を装着する過程を示す正面図である。
【図５】本発明の実施例に係り、ナス環における間隔Ｔとリング部材における最大内径ｔとの大小関係を説明するための正面図である。
【図６】本発明の実施例に係り、ナス環における間隔Ｔとリング部材における最大内径ｔとの大小関係が、Ｔ＞ｔの場合を説明するための正面図である。
【図７】本発明の実施例に係り、ナス環にストラップを取付けた状態をしめす図である。
【図８】ナス環における間隔Ｔとリング部材における最大内径ｔとの大小関係を説明するための正面図である。
【図９】ナス環における間隔Ｔとリング部材における最大内径ｔとの大小関係が、Ｔ＞ｔを充足しない場合を説明するための正面図である。
【図１０】ナス環における間隔Ｔとリング部材における最大内径ｔとの大小関係が、Ｔ＞ｔを充足しない場合に、リング部材がフック部から離脱すること説明するための正面図である。
【発明を実施するための形態】
【００１５】
以下に、本発明の実施例を図面に基づいて説明する。
【００１６】
本例のナス環は、図１〜図７に示すように、ナス環本体２に弾性線材からなる留め具２０を設け、このナス環本体２にリング部材１０を着脱可能に装着するナス環１である。
【００１７】
ナス環本体２は、リング部材１０挿通用の開口３を設けた一対の脚部４、５と、脚部４、５の各下部４ｂ、５ｂにその両端部が連接されるフック部６とを備える。なお、本例のナス環本体２には、脚部４の上部に、ストラップ３０を挿通するための孔７が形成されている。
【００１８】
本例の留め具２０は、特許文献１に記載された留め具と同様に、両端を内側に曲げた略Ｕ字状の弾性線材を用い、この略Ｕ字状の一側と他側の長さを変えて、当該留め具の端部をナス環本体２の窪み穴８に係着した際に、一方向に回動付勢されるように構成されているものである。
【００１９】
留め具２０は、本例の場合、前記一対の脚部４、５の一方の脚部４に当該留め具２０の一端部２０ａが回動付勢可能に支持されるとともに、他端部２０ｂが前記他方の脚部５に当接可能に設けられる。なお、留め具２０の他端部２０ｂが前記他方の脚部５に当接する場合に、留め具２０の他端部２０ｂが収まりよく且つ確実に当接保持されるように、脚部５の下部近傍のフック部６に溝部６ａが設けられている。
【００２０】
さらに、本例のナス環１においては、前記一対の脚部４、５の先端部４ａ、５ａと留め具２０間の間隔Ｔと、前記リング部材１０の内径のうちの最大内径ｔとの間に、Ｔ＞ｔとなる関係を備えている。
【００２１】
このように、本例のナス環１は、間隔Ｔと、前記リング部材１０の内径のうちの最大内径ｔとの間において、Ｔ＞ｔであるため、リング部材１０に何らかの外力が加わって動いても、リング部材１０は脚部５の先端部５ａを越えることができない。これにより、フック部６からのリング部材１０の離脱を阻止することができる。
【００２２】
本例のナス環１において、リング部材１０は円形状を呈しているが楕円形状のものであってもよい。この場合は、楕円形状の長径が最大内径ｔとなる。また、上記実施例では、リング部材１０は脚部５の先端部５ａを越えることができない場合を例にとって説明したが、一方の脚部４の先端部４ａの場合も同様であることは勿論である。以上のように、本発明は、上記実施例で示したものに限られずに、本発明の目的達成に資する適宜の改変を施すことができるものである。
【産業上の利用可能性】
【００２３】
本発明は、ナス環本体に弾性線材からなる留め具を設けたナス環において、リング部材に何らかの外力が加わって動いても、フック部に装着されているリング部材が外れてしまう不具合を回避することの可能なナス環として好適に利用することができる。
【符号の説明】
【００２４】
１    ナス環
２    ナス環本体
３    （リング部材挿通用の）開口
４    （一方の）脚部
４ａ    先端部
４ｂ    下部
５    （他方の）脚部
５ａ    先端部
５ｂ    下部
６    フック部
６ａ    溝部
７    孔
８    窪み穴
１０    リング部材
２０    留め具
２０ａ    一端部
２０ｂ    他端部
３０    ストラップ
Ｔ    間隔
ｔ    最大内径
Ｋ    鍵
【図１】
2018096476.tif 000003
【図２】
2018096476.tif 000004
【図３】
2018096476.tif 000005
【図４】
2018096476.tif 000006
【図５】
2018096476.tif 000007
【図６】
2018096476.tif 000008
【図７】
2018096476.tif 000009
【図８】
2018096476.tif 000010
【図９】
2018096476.tif 000011
【図１０】
2018096476.tif 000012